(57)【要約】【課題】電話機能と放送受信機とを併設した情報処理装置であり、使用状況に応じて処理を制限し又は自動化することで、限られた電力資源にて最大限の機能を引き出す。【解決手段】放送信号を受信し復調するチューナ部２４と、基地局と通信を行うことにより他の移動局と通話を行う移動通信部１５と、チューナ部と移動通信部とへ電源を供給する電池部２８と、チューナ部が放送信号を受信している時に移動通信部が基地局からの着信を受けた時、放送受信機能のための電池部からの電源供給を削減するべく制御する制御部１６とをもつ情報処理装置であり、電話機能と受信機機能とを適切に両立させる。【選択図】    図１
2005109828.tif 000002
【特許請求の範囲】
【請求項１】
放送信号を受信し復調するチューナ部と、
基地局と通信を行うことにより他の移動局と通話を行う移動通信部と、
前記チューナ部と前記移動通信部とへ電源を供給する電池部と、
前記チューナ部が前記放送信号を受信している時に、前記移動通信部が前記基地局からの着信を受けた時、前記放送信号の受信のための前記電池部からの電源供給を削減するべく制御する制御部とを具備することを特徴とする情報処理装置。
【請求項２】
前記制御部は、前記チューナ部が前記放送信号を受信している時に前記移動通信部が前記基地局からの着信を受けた時、前記電池部からの前記チューナ部への電源供給を中止するべく制御することを特徴とする請求項１記載の情報処理装置。
【請求項３】
前記制御部は、前記チューナ部が前記放送信号を受信している時に前記移動通信部が前記基地局からの着信を受け、所定期間が経過する前に通話するべく操作された時、前記電池部からの前記チューナ部への電源供給を中止するべく制御することを特徴とする請求項１記載の情報処理装置。
【請求項４】
前記チューナ部は、前記放送信号を１３セグメントで復調する１３セグメントデコーダと１セグメントで復調する１セグメントデコーダとを有しており、前記制御部は、前記移動通信部が前記基地局からの着信を受けた時、１３セグメントデコーダから１セグメントデコーダへ変更することで前記電池部の電源供給を削減するべく制御することを特徴とする請求項１記載の情報処理装置。
【請求項５】
前記チューナ部は、前記放送信号を１３セグメントで復調する１３セグメントデコーダと１セグメントで復調する１セグメントデコーダとを有しており、前記制御部は、前記チューナ部が前記放送信号を受信している時に前記移動通信部が前記基地局からの着信を受けた時、１３セグメントデコーダから１セグメントデコーダへ変更することを提案する画面表示を行い、これを了解する操作信号を受ければ１３セグメントデコーダから１セグメントデコーダへ変更することで前記電池部の電源供給を削減するべく制御することを特徴とする請求項１記載の情報処理装置。
【請求項６】
前記チューナ部で復調された放送信号に応じた映像を表示する表示部を更に有しており、前記制御部は、前記チューナ部が前記放送信号を受信している時に前記移動通信部が前記基地局からの着信を受けた時、前記表示部の輝度を低下させることで前記電池部の電源供給を削減するべく制御することを特徴とする請求項１記載の情報処理装置。
【請求項７】
放送信号を受信し復調するチューナ部と、
基地局と通信を行うことにより他の移動局と通話を行う移動通信部と、
前記チューナ部が前記放送信号を受信しておらず、前記移動通信部が前記基地局と通信を行っていない時、前記放送信号の番組を示す電子番組情報を取得する取得部と、
を具備することを特徴とする情報処理装置。
【請求項８】
前記取得部は、前記チューナ部が前記放送信号を受信しておらず、前記移動通信部が前記基地局と通信を行っていない時、更に、タイマが所定期間の経過を計測すると、前記電子番組情報を取得することを特徴とする請求項７記載の情報処理装置。
【請求項９】
前記取得部は、前記チューナ部が受信し復調した放送信号から前記電子番組情報を抽出することを特徴とする請求項７記載の情報処理装置。
【請求項１０】
前記取得部は、前記移動通信部が前記基地局と通信を行うことで前記電子番組情報を取得することを特徴とする請求項７記載の情報処理装置。
【請求項１１】
前記移動通信部は、通信相手となる基地局が、所定の基地局から他の基地局へと変化したことを検出すると、新たな基地局から前記電子番組情報を取得し直すことを特徴とする請求項７記載の情報処理装置。
【請求項１２】
前記移動通信部は、通信相手となる基地局が、所定の基地局から他の基地局へと変化するとこの回数をカウントし、回数が所定数に達すると、新たな基地局から前記電子番組情報を取得し直すことを特徴とする請求項７記載の情報処理装置。
【請求項１３】
前記取得部が前記電子番組情報を取得すると、前記電子番組情報を取得中であること又は新たな前記電子番組情報を取得済みであることを表示する表示部を更に有することを特徴とする請求項７記載の情報処理装置。
【請求項１４】
一つの電源からの供給により、放送信号を受信して復調し、更に、基地局と通信を行うことにより他の移動局と通話を行う場合、前記放送信号を受信している時に前記基地局からの着信を受けた時、前記放送信号の受信のための電源供給を削減するべく制御することを特徴とする情報処理方法。
【発明の詳細な説明】
【技術分野】
【０００１】
この発明は、携帯電話等の通話機能とモバイルテレビ等の受像機能とを併せ持った情報処理装置及び情報処理方法に関する。
【背景技術】
【０００２】
最近、地上デジタル放送では、据え置きＴＶ受信機向けの高データーレート放送（以下１３セグメント放送）と主にモバイルＴＶ受信機向けの低データーレート放送（以下１セグメント放送）が規格化され実施される予定である。この１セグメント放送用の受信機として、１）携帯性を重視した専用ＴＶ受信機、又、２）個人用の情報端末で一般にＰＤＡと呼ばれるパーソナルデジタルアシスタントや、パーソナルコンピュータ（以下ＰＣ）等の汎用機器を利用し、デジタル放送受信モジュールやカード等の後付機器を汎用機器に接続することにより、モバイルＴＶとして機能させる形態のＴＶ受信機、又、３）携帯電話機にデジタル放送受信機を組み込んで、携帯電話機の表示画面や信号処理機能を利用したデジタル放送受信機等が想定されている。
【０００３】
ここで、上述した携帯電話の機能とデジタル放送受信機の機能との両方を搭載した視聴装置においては、電池等の容量に比べて電力消費が大きくなるために、使用時間に制限が生じてしまうため、可能な限りの対策が施されることで使用時間を長期化させることが望まれている。
【０００４】
特許文献１には、携帯型視聴装置として、地上波デジタル放送受信機能と移動型電話機能とを兼ね備えた装置が示されている。ここで、テレビ視聴中に電話の着信があったときにユーザが通話操作を行うと、テレビ番組を内蔵メモリに記録させる技術が開示されている。
【特許文献１】特開２００３−１１１００４号公報
【発明の開示】
【発明が解決しようとする課題】
【０００５】
しかし上述した従来技術においては、放送番組の画像情報をメモリに格納するだけであり、本発明の課題である消費電力の削減を十分に行うことができないという問題がある。又、電話機能とデジタル放送受信機能とを併設した場合に、消費電力が大きくなる多くの状況を十分想定して自動的に消費電力を節約する働きが十分設けられていないという問題がある。
【０００６】
本発明は、電話機能と放送受信機機能とを併設した情報処理装置において、その時の使用状況に応じて処理を制限し又は自動化することで、限られた電力資源の中で最大限の機能を発揮する情報処理装置及び情報処理方法を提供することを目的とする。
【課題を解決するための手段】
【０００７】
本発明に係る情報処理装置は、放送信号を受信し復調するチューナ部と、基地局と通信を行うことにより他の移動局と通話を行う移動通信部と、前記チューナ部と前記移動通信部とへ電源を供給する電池部と、前記チューナ部が前記放送信号を受信している時に、前記移動通信部が前記基地局からの着信を受けた時、前記放送信号の受信のための前記電池部からの電源供給を削減するべく制御する制御部とを具備するものである。
【０００８】
又、本発明に係る情報処理装置は、放送信号を受信し復調するチューナ部と、基地局と通信を行うことにより他の移動局と通話を行う移動通信部と、前記チューナ部が前記放送信号を受信しておらず、前記移動通信部が前記基地局と通信を行っていない時、前記放送信号の番組を示す電子番組情報を取得する取得部とを具備するものである。
【発明の効果】
【０００９】
上記した本発明に係る情報処理装置においては、例えば、地上波デジタル放送の受信機能であるチューナ部がＴＶ放送を受信中に、携帯電話機能である移動通信部が基地局からの着信を受けると、受信に関する電源供給を削減するべく制御するものである。ここで、受信に関する電源供給の削減は様々のものが考えられるが、例えば、チューナ部への電力供給を停止することが一つの方法であり、又、１３セグメントの放送受信を１セグメントの放送受信に変更することが他の方法である。
【００１０】
又、更に、上記した本発明に係る情報処理装置においては、電子番組情報であるＥＰＧ（Electronic Program Guidance）情報を取得して活用することが、番組選択の機能を飛躍的に向上させることとなる。しかし、ＥＰＧ情報の取得は、チューナ部や移動通話部を利用して行われるものであり、消費電力を考慮しつつ最適のタイミングで取得すべきである。ここでは、チューナ部が使用されてはおらず携帯電話機能である移動通信部でも基地局との通信を行っていない場合に、ＥＰＧ情報の取得を自動的に行うことを特定している。これにより、本来の受信機能や通話機能を損ねることなく、ＥＰＧ情報を活用することが可能となる。
【発明を実施するための最良の形態】
【００１１】
以下、この発明の実施の形態について図面を参照して詳細に説明する。
【００１２】
＜本発明に係る情報処理装置の第１実施形態＞
本発明に係る情報処理装置の第１実施形態は、放送受信中に携帯電話に着信があった場合、放送受信のための消費電力を削減することを示している。図１は、本発明に係る情報処理装置の構成の一例を示すブロック図、図２乃至図３は、本発明に係る情報処理装置の処理動作の一例を示すフローチャートである。
【００１３】
更に、詳細には、
１）携帯電話機能とＴＶ受信機機能とを併設した情報処理装置であって、番組視聴時に電話の着信があり、通話状態になった際に、モバイルＴＶ受信部分への電源供給停止（又は動作停止）を行うもの。
【００１４】
２）携帯電話機能とＴＶ受信機機能とを併設した情報処理装置において、選局やＥＰＧ表示の際に必要なＳＩ／ＰＳＩ情報の取得をしながら省電力化をはかるもの。
【００１５】
３）携帯電話機能とＴＶ受信機機能とを併設した情報処理装置であって、更に、番組視聴時に電話の着信があった際に、発信元の表示とともに、通話／留守録／電車による移動中後で電話、等のポップアップを表示するもの。  
更に、ポップアップに応じたボタンを押すことにより所定の処理（通話状態で自動録画／視聴を続けながら電話の留守録／視聴を続けながら電車による移動中後で電話のメッセージを流す）に切り替えるものを提供する。
【００１６】
このとき、少なくとも以下の形態が考えられる。  
１）携帯電話にＴＶ受信機能を組み込んだ装置、すなわち、図１に示すように、携帯電話機に、線で囲んだＴＶ受信するためのチューナ部である復調、選局回路、映像音声等のデコード回路などを追加し内蔵した装置である。表示部については携帯電話機に本来あるディスプレイ部をＴＶ視聴の際に切り替えて使用する。音声は携帯電話機からイアフォンジャック等を通じて提供され、イアフォン、ヘッドホンで聴く。又は映像音声等のデコード回路に関しては、携帯電話機の付加機能として最近注目されているムービー機能のための回路（処理部）を共用しても良い。
【００１７】
２） 専用ＴＶ受信機や、汎用機器にデジタル放送受信モジュールを接続する形態のＴＶに、追加で携帯電話の通信モジュールを組み込んだ装置。携帯電話の通信モジュールとは、例えば、データ通信に特化したＰＣカード型のモジュールやコンパクトフラッシュ型のモジュールであり、上記ＴＶに接続して使用するものである。
【００１８】
以下の説明では、上記した１）携帯電話にＴＶ受信機能を組み込んだものを代表例として、説明を行っていく。
【００１９】
（構成）
本発明に係る情報処理装置の第１実施形態である情報処理装置１は、図１において、初めに操作部であるキー入力部１７と、これに接続され全体の動作を司る制御部１６とを有している。
【００２０】
情報処理装置１は、移動通信部である携帯電話機のための構成として、アンテナ１１がアンプ１２，１３を介してダウンコンバータ及びアップコンバータを含むＲＦ回路１４に接続され、この入出力がベースバンド回路１５に接続され、更にスピーカ１９とマイク２０が、ベースバンド回路１５に接続されている。又、図１には、アンテナ１１を介して通話が行われる基地局４１と、基地局４１を介して通話が行われる他の移動局である携帯電話４２の一例が示されている。
【００２１】
更に、情報処理装置１は、デジタル地上波放送等のＴＶ受信機のための構成として、実線で囲まれた部分に含まれる構成として、上述したアンテナ１１に接続されるチューナ部２４と、この出力が供給されＭＰＥＧ情報をデコードするＭＰＥＧデコーダ２５と、チューナ部２４に接続されＥＰＧ情報を取得するＥＰＧ取得部３２と、このＭＰＥＧデコーダ２５の出力と上述したベースバンド回路１５の画像出力が接続される切換部２２と、切換部の出力が選択的に供給されるディスプレイ１８とを有している。又、ディスプレイ１８は、制御部１６の制御に応じてディスプレイ１８の輝度を設定する輝度設定部３１が接続されている。更に、情報処理装置１は、上述したベースバンド回路１５の音声出力と、ＭＰＥＧデコーダ２５の音声出力とが供給され選択的にこれをイアフォン端子２１等に出力する切換部２３とを有している。
【００２２】
この実施形態が示す情報処理装置１は、電池２８に接続される電源が２系統用意されている。図１において、それぞれ電源１、電源２が示されており、電源１はスイッチ２７でユーザがオン／オフできる電源であり、スイッチ２７を介して電池２８と接続されている。電源２は、ＴＶを視聴するためだけに使用されるチューナ部２４とＭＰＥＧデコーダ２５に電源を供給しており、電源１は、電源２以外の部分に電源を供給している。スイッチ２７は、電源１と電源２とを制御部１６の制御によりオン／オフしており、スイッチ２６は、電源２だけを制御部１６の制御によりオン／オフしている。
【００２３】
（動作）
上記した構成を有する本発明に係る情報処理装置１の動作を、以下にフローチャートを用いて詳細に説明する。初めに、情報処理装置１は、図１に示すスイッチ２７をオンした場合に、スイッチ２６はオフの状態で起動するものとする。次に、ユーザがＴＶを視聴するべく、キー入力部１７に独立した専用のボタン等を押すと、ＴＶ視聴要求があったものとみなされて（Ｓ１１）、スイッチ２６がオンとなりチューナ部２４とＭＰＥＧデコーダ２５とに電源が供給される（Ｓ１２）。
【００２４】
次に、チューナ部２４及びＭＰＥＧデコーダ２５が受信し復調した放送信号に基づき、ＥＰＧ取得部３２が放送信号中のＳＩ／ＰＳＩ情報を抽出して、電子番組表（以下ＥＰＧ）を生成し、ディスプレイ部１８に表示する（Ｓ１３）。
【００２５】
ここで、ＳＩ（Service Information）は、番組配列情報であり、番組選択の利便性のために規定された各種情報である。総務省令で定義され、内容はＡＲＩＢ規格として規定されている。ＡＲＩＢ規格独自の拡張部分に加えて、ＭＰＥＧ−２のＰＳＩ情報も含まれる。
【００２６】
又、ＰＳＩ（Program Specific Information）は、番組特定情報であり、所要の番組を選択するために必要な情報で、ＰＡＴ、ＰＭＴ、ＮＩＴ、ＣＡＴの４つのテーブルからなる。ＭＰＥＧ−２システムズ規格、総務省令で規定されている。
【００２７】
次に、表示されたＥＰＧ情報に応じて、ユーザから視聴したい番組の選択があると（Ｓ１４）、ＳＩ／ＰＳＩ情報に従ってチューナ部２４を制御して所望のチャンネルを選局する（Ｓ１５）。一方、番組の選択が無かった場合には、前回視聴の番組（チャンネル）を選局する（Ｓ２６）。なお、このとき前回視聴の番組を選局するための情報が消失しているとか、ユーザが長時間電源を入れなかった、別の放送圏域に移動しているなどの原因により、前回視聴の番組（チャンネル）を選局できない場合には、予め設定した所定のチャンネルを提示するものとする。
【００２８】
次に、ディスプレイにＴＶ画像を表示するために、切り替え回路２２を切り替えてＴＶ画像を選択すると共に、イアフォンにＴＶ音声を出力するように切り替え回路２３を切り替えて音声を出力する（Ｓ１６）。
【００２９】
ここで、電話の着信がなければ（Ｓ１７）、ステップＳ２６に戻り、そのまま現在視聴中の番組を継続して提供する。一方、着信があった場合には、着信があったことをユーザに知らせるために、切り替え回路２２を切り替えて、着信があったことを示す画面表示を行う（Ｓ１８）。
【００３０】
この着信を示す画像表示は、ＴＶ画面に重複させてもよいし、ＴＶ画面を消去して着信画面だけを表示してもよい。又、着信表示画面は、ベースバンド回路１５で生成してもよいし制御部１６や周辺回路で生成してもよい。
【００３１】
次に、スイッチ２６をオフし（Ｓ１９）、チューナ部２４、映像音声等のデコード回路２５への電源を停止する。これにより、移動通信部である携帯電話機能だけに電源部からの電源が供給されるものであり、電池２８の容量が不足気味であっても、確実な通話を行うことが可能となる。
【００３２】
次に、通話待ちタイマをリセットする（Ｓ２０）。この通話待ちタイマは制御部１６のプログラムで実現しても良いし、図示しない専用のタイマ回路を用いて行ってもよい。
【００３３】
そして、通話が開始されれば（Ｓ２１）、通話が終了するまでチューナ部２４等への電源供給は中止した状態で通話が行われ（Ｓ２４）、通話が終了すれば、再びスイッチ２６がオンされて、放送受信が再開される（Ｓ２５）。
【００３４】
一方、通話が開始されずに（Ｓ２１）、タイマが所定期間を経過したか（Ｓ２２）、又は、着信切れであれば（Ｓ２３）、再びスイッチ２６がオンされて、放送受信が再開される（Ｓ２５）。タイマが所定期間を経過しておらず(Ｓ２２)、着信切れでなければ（Ｓ２３）、通話が行われるかがステップ２１により監視される。
【００３５】
以上のように移動通信部における電話の着信に応じて、放送受信機能への電源供給を停止することで、消費電力を削減することができ、電池２８の電源容量に余裕がなくとも、確実な通話を可能とするものである。
【００３６】
又、ステップ１８において、番組視聴時に電話の着信があった場合には、制御部１６の制御に応じて、着信画面を表示した際に、ユーザによる通話ボタンを押す等の操作を確認した上で、チューナ部２４、ＭＰＥＧデコード回路２５等への電源供給を停止することも好適である。
【００３７】
又、更に、上述したように、消費電力を削減するために、チューナ部２４、ＭＰＥＧデコード回路２５等への電源供給を停止する以外にも、以下の方法が好適である。すなわち、ステップ１９のタイミングで、チューナ部２４において、消費電力を多く消費する高画質の１３セグメント放送のデコード処理から消費電力が少なくてすむ１セグメント放送のデコード処理へと処理を変更することが好適である。更に、ステップ２５では、１セグメントデコード処理から１３セグメントデコード処理へと処理を戻すものである。
【００３８】
又、ステップ１９で直ちに１３セグメントから１セグメントに変更するのではなく、変更をディスプレイ１８に表示することでユーザに提案し、これに同意する操作が得られた場合だけ変更することも好適である。
【００３９】
又、更に、ディスプレイ１８は、高輝度を設定することによりＴＶ放送の高画質画像が得られるが、消費電力も大きなものとなり負担となるため、ステップＳ１８において、ディスプレイ１８の輝度を低下させることにより、消費電力を削減することも好適である。ここでは、制御部１６の制御信号に応じて、輝度設定部３１により、ディスプレイ１８の輝度が変更されるものである。又、同様に、ディスプレイ１８の輝度の変更をディスプレイ１８で提案してから同意するユーザからの操作が得られた上で変更することも好適である。
【００４０】
以上に示したように、携帯電話の着信があると、放送受信機能に関する電源供給を停止等の処理を行うことにより、電池の容量が不十分であっても、確実な通話処理を行うことができる。
【００４１】
（他の動作）
更に、図３に示すフローチャートにおいては、他の情報処理装置１の動作の変形例が示されている。すなわち、図３において、ステップＳ１８までの処理は図２のフローチャートで示した場合と同様である。ステップ１８で着信表示を行った後に、図２のフローチャートでは直ちにスイッチ２６をオフして放送受信処理への電源供給を中止したのに比べて、図３のフローチャートでは、制御部１６や図示しない専用タイマ回路等による電話待ちタイマをリセットする（Ｓ３１）。そして、通話が開始されれば（Ｓ３２）、初めて、スイッチ２６をオフして放送受信処理への電源供給を中止する（Ｓ３５）。通話がなされず（Ｓ３２）、着信切れであるか（Ｓ３４）、着信切れでもなくともタイマが所定期間を経過すると（Ｓ３３）、再び、ステップＳ２６に戻り、放送の受信を継続することとなる（Ｓ２６）。
【００４２】
スイッチ２６がオフされ（Ｓ３５）、その後、通話が終了すると（Ｓ３６）、スイッチ２６が再びオンされ、放送の受信を再開することとなる（Ｓ２６）。
【００４３】
以上のような手順においても同様に、電話の着信に応じて、放送受信機能への電源供給を停止することで、消費電力を削減することができ、電池２８の電源容量に余裕がなくとも、確実な通話を可能とするものである。
【００４４】
＜本発明に係る情報処理装置の第２実施形態＞
本発明に係る情報処理装置の第２実施形態は、放送受信部が受信を行っておらず、移動通信部が通話を行っていない場合において、放送信号のＥＰＧ情報を自動的に取得することを示している。図４は、本発明に係る情報処理装置の構成の他の一例を示すブロック図、図５乃至図８は、本発明に係る情報処理装置のＥＰＧ情報の取得処理の他の一例を示すフローチャーである。
【００４５】
（要旨）
選局やＥＰＧ表示の際に必要な、放送信号中のＳＩ／ＰＳＩ情報の取得に際しては、ＳＩ／ＰＳＩ情報の伝送レートの制限があるため、取得し始めてからかなりの時間が必要な場合がある。例えば、ＡＲＩＢ規格、運用規定等ではＳＩ／ＰＳＩ情報の伝送周期の長いもので３分から６分というものがある。
【００４６】
すなわちユーザがＴＶ視聴をするための操作を行い、チューナ部２４、映像音声等のデコード回路２５など放送を受信するためだけに使用する回路へ電源が提供した後、放送信号中のＳＩ／ＰＳＩ情報を取得するものとすると、最悪値としては数分間ＥＰＧを提示できず、又、ＥＰＧが無いために、視聴者が番組選択の操作を行えない、又、選局のための情報が得られずＴＶ表示ができないということも考えられる。この不都合に対し、第２実施形態において、次の処理を行う。
【００４７】
初めに、前回のＴＶ視聴時に受信したＳＩ／ＰＳＩ情報の一部又は全部を、制御部１６等の記憶領域に記憶しておく。ＳＩ／ＰＳＩ情報には選局のために必須の情報（例えば各チャンネルの周波数情報など）と、各チャンネルで放送される番組の名称など、付加的な情報とがあり、付加的な情報の記憶に関しては、情報処理装置の不揮発メモリとして使用可能なメモリ量に応じて記憶することとする。なお、ここで不揮発メモリとは視聴者が電源スイッチ２７をオフしても消えない意味であり、ＥＥＰＲＯＭのように電源が提供されなくても記憶が消えないメモリのほか、電源スイッチ２７でもオフできない電源が提供されているメモリでも良い。
【００４８】
通常、選局のために必須の情報（例えば各チャンネルの周波数情報など）は、あまり変更することが無いため、このようにすることで、視聴者がＴＶ視聴のための操作を行い、チューナ部２４、映像音声等のデコード回路２５など放送を受信するためだけに使用する回路へ電源が提供された後、前回のＴＶ視聴時に受信したＳＩ／ＰＳＩ情報を利用して選局が行えるものと考えられる。
【００４９】
ただし、各チャンネルで放送される番組の名称などは、日々更新される場合が多く、電源をオフしている時間（日数）が長い場合には、ＥＰＧ表示を行うデータとしては不適当な場合もある。
【００５０】
次に、本発明に係る情報処理装置は、携帯可能であり移動することが前提である。ＳＩ／ＰＳＩ情報は特に地上デジタル放送の場合、地域ごとにその情報が異なる。すなわち、例えば、通常関東地域で本機を利用していたユーザが、関西地域に移動した場合、ＳＩ／ＰＳＩ情報はまったく異なったものになり、移動後に前回のＳＩ／ＰＳＩ情報を使用して選局を行うことはできない。この場合には、移動した後の地域のＳＩ／ＰＳＩ情報を再度取得することが必要であり、再度の取得には時間がかかるという問題がある。
【００５１】
このため、第２実施形態では、ＴＶ受信機能であるチューナ部も携帯電話機能である移動通信部も動作していない時に、ＥＰＧ情報を自動的に取得するものである。
【００５２】
なお、図４のブロック図は、基本的に図１のブロック図と同一であるが、特に制御部１には、以下のフローチャートで述べるＥＰＧ取得制御プログラムが格納されており、後述する手順を実現するものである。又、電源スイッチ２９が新たに設けられ、ＭＥＰＧデコーダ２５を独立して制御することが示されている。
【００５３】
（動作）
第２実施形態を図５に示すフローチャートを用いて説明する。このフローチャートは、携帯電話の待ち受け時や、携帯電話の通話時など、スイッチ２６、２９がオフ状態である場合に処理されるものである。
【００５４】
初めに、ＴＶの視聴の有無を検知し、ユーザがＴＶを視聴していない場合には（Ｓ４１）、タイマをリセットする（Ｓ４２）。このタイマは制御部１６のプログラムで実現しても良いし、図示しない専用のタイマ回路を持っても良いものとする。次に、タイマのカウント値を検査し、所定の時刻経過していた場合は（Ｓ４３）、スイッチ２６をオンして（Ｓ４４）、チューナ部２４など、少なくともＴＶを視聴するためだけに使用される回路ブロックへの電源供給を開始して、少なくとも放送信号からＳＩ／ＰＳＩ情報を抽出ために使用される回路ブロックへの電源供給を開始する。なお、ＴＶ表示は行わないため、映像音声等のデコード回路へ電源を供給するスイッチ２９はオフのままとする。そして、ＥＰＧ取得部３２により放送信号からＳＩ／ＰＳＩ情報を抽出する（Ｓ４５）。
【００５５】
ＳＩ／ＰＳＩ情報の抽出が終了すれば（Ｓ４６）、抽出したＳＩ／ＰＳＩ情報に基づいて電子番組情報（ＥＰＧ）を生成し、スイッチ２６をオフして（Ｓ４７）、再び、ステップＳ４１に戻る。
【００５６】
なお、ステップＳ４６の判定は、全てのＳＩ／ＰＳＩ情報の更新があるか否か判定しながら抽出する方法であっても良いし、以後もタイマにより繰り返し抽出を行うことから、所定の時間の抽出を行ったことで終了としても良い。
【００５７】
又、ステップＳ４５でＳＩ／ＰＳＩ情報、すなわち、ＥＰＧ情報を取得する際に、ディスプレイ１８に取得中であることを表示することも好適である。更に、取得が終われば、ＥＰＧ情報が取得されたことを表示することも好適である。
【００５８】
又、上記したように、ＥＰＧ情報は、チューナ部２４等を利用して放送信号から取得するものであってもよいが、移動通信部であるＲＦ回路１４やベースバンド回路１５を介して、基地局４１を経由して、インターネット等を経由して取得するものであることも好適である。この場合は、ＥＰＧ情報を取得する時は、チューナ部２４等には電源を供給せず、ＲＦ回路１４やベースバンド回路１５のみに電源を供給することが好適である。
【００５９】
（他の動作）
図６に示すフローチャートの場合は、基地局の切り替えを検出し、これをトリガーとしてＥＰＧ情報を取得するものである。
【００６０】
初めに、ＴＶの視聴の有無を検知し、ユーザがＴＶを視聴していない場合には（Ｓ４１）、カウンタをリセットする（Ｓ４２）。このカウンタは制御部１６のプログラムで実現しても良いし、専用のカウンタ回路を持っても良いものとする。
【００６１】
次に、情報処理装置１の移動通話部の基地局の切り替えが発生したかどうかを判定する（Ｓ５１）。発生した場合には、カウント値をインクリメントする（Ｓ５２）。次に、カウンタのカウント値が所定数以上であれば（Ｓ４３）、スイッチ２６をオンして（Ｓ４４）、チューナ部２４など、少なくともＴＶを視聴するためだけに使用される回路ブロックへの電源供給を開始して、少なくとも放送信号からＳＩ／ＰＳＩ情報を抽出ために使用される回路ブロックへの電源供給を開始する。なお、ＴＶ表示は行わないため、映像音声等のデコード回路へ電源を供給するスイッチ２９はオフのままとする。そして、ＥＰＧ取得部３２により放送信号からＳＩ／ＰＳＩ情報を抽出する（Ｓ４５）。
【００６２】
ＳＩ／ＰＳＩ情報の抽出が終了すれば（Ｓ４６）、抽出したＳＩ／ＰＳＩ情報に基づいて電子番組情報（ＥＰＧ）を生成し、スイッチ２６をオフして（Ｓ４７）、再び、ステップＳ４１に戻る。
【００６３】
なお、上記したように、ＥＰＧ情報は、チューナ部２４等を利用して放送信号から取得するものであってもよいが、移動通信部であるＲＦ回路１４やベースバンド回路１５を介して、基地局４１を経由して、インターネット等を経由して取得するものであることも好適である。この場合は、ＥＰＧ情報を取得する時は、チューナ部２４等には電源を供給せず、ＲＦ回路１４やベースバンド回路１５のみに電源を供給することが好適である。
【００６４】
又、図８に示すフローチャートの場合は、図６に示すフローチャートと同様の処理を示しているが、ステップＳ６１において、基地局の重複を検出すると、ステップＳ４３に進むことを示しているが、その他は、図７のフローチャートと同様である。
【００６５】
以上、説明したように、本発明に係る情報処理装置においては、チューナ部が放送信号を受信中ではなく、移動通信部が通話中でない期間において、自動的にＥＰＧ情報を取得することにより、本来の放送受信機能や携帯電話の通話機能を損なうことなく、最新のＥＰＧ情報を用意しておくことができるため、与えられた電源資源の中で最大限の機能を発揮する情報処理装置及び情報処理方法を提供することができる。
【００６６】
（その他の実施形態）
地域によって異なる場合もあるが、ユーザが電車で移動中の場合を想定すると、鉄道会社によって着信又は通話が禁止されている場合がある。着信が禁止されている場合の対応として以下とする。図９は、その他の実施形態を示すブロック図である。
【００６７】
ユーザが電車で移動中にＴＶ視聴する場合には、図９における制御部１６とスイッチ２６，２９，３０を用いて、電源２，３がオン、電源４をオフにする。電源４が供給されるのは、アンプ１２，アンプ１３、ＲＦ回路１４、ベースバンド回路１５など携帯電話の機能を利用する際に使用する回路ブロックである。
【００６８】
通話が禁止されている場合の対応として以下とする。図１又は図４において、ユーザが電車で移動中にＴＶ視聴ており、着信があった場合には、直ちに電源２又は２，３をオフにするのではなく、画面にオンスクリーン表示のポップアップ表示等で、着信があったことを示す。
【００６９】
ポップアップ表示では、通話／留守録／電車による移動中後で電話の３通りの表示があり、ユーザが留守録を選択した場合には、通話相手に留守録状態であることを示すメッセージを流すとともに、相手の伝言を録音する状態に以降するものとし、ユーザが電車による移動中後で電話を選択した場合には、通話相手に電車による移動中後で電話であることを示すメッセージを流すものである。
【００７０】
前記留守録などのメッセージは制御部１６が制御して発生するものとし、図示しないメモリに予め記憶されているものとする。又留守録時の通話相手の伝言を記憶する図示しないメモリも制御部１６が制御しているものとし、電車から降りた後にユーザが再生要求をキー入力部１７を通じて制御部１６に行った際に、通話相手の伝言を記憶する図示しないメモリから再生するものとする。
【００７１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００７２】
すなわち、上記実施形態では、携帯電話の機能と、ＴＶ機能を実現する回路に、重複が無い場合を想定して説明したが、ベースバンド回路１５や映像音声等のデコード回路２５などはデジタルシグナルプロセッサ（ＤＳＰ）で実現される場合もあり、この場合には両者の電源の切り替えできない。しかしながら、携帯電話の機能と、ＴＶ機能としてそれぞれ専用の回路ブロックを持っている場合には、その専用回路ブロックの電源を切り替えることにより、本発明は実施可能である。
【００７３】
又、前記説明では携帯電話にＴＶ受信機能を組み込んだものを例に説明したが、専用ＴＶ受信機や、汎用機器にデジタル放送受信モジュールを接続する形態のＴＶに、追加で携帯電話の通信モジュールを組み込んだものでも同様な効果が得られる。すなわち、専用ＴＶ受信機に携帯電話の通信モジュールを接続する形態のＴＶでは、専用ＴＶ受信機内の電源回路を前述の説明のように２系統以上とし、携帯電話の通信モジュールを使用した通信を行う場合には、専用ＴＶ受信機内のＴＶ受信部の電源をオフし、消費電力の削減を行うものである。
【図面の簡単な説明】
【００７４】
【図１】本発明に係る情報処理装置の構成の一例を示すブロック図。
【図２】本発明に係る情報処理装置の処理動作の一例を示すフローチャート。
【図３】本発明に係る情報処理装置の処理動作の他の一例を示すフローチャート。
【図４】本発明に係る情報処理装置の構成の他の一例を示すブロック図。
【図５】本発明に係る情報処理装置のＥＰＧ情報の取得処理の一例を示すフローチャート。
【図６】本発明に係る情報処理装置のＥＰＧ情報の取得処理の他の一例を示すフローチャート。
【図７】本発明に係る情報処理装置のＥＰＧ情報の取得処理の他の一例を示すフローチャート。
【図８】本発明に係る情報処理装置のＥＰＧ情報の取得処理の他の一例を示すフローチャート。
【図９】本発明に係る情報処理装置の他の構成の一例を示すブロック図。
【符号の説明】
【００７５】
１１…アンテナ、１２…アンプ、１３…アンプ、１４…ＲＦ回路、１５…ベースバンド回路（ＥＰＧ取得部）、１６…制御部、１７…キー入力部、１８…ディスプレイ、１９…スピーカ、２０…マイク、２１…音声出力、２２…切換部、２３…切換部、２４…チューナ部、２５…ＭＰＥＧデコーダ、２６…スイッチ、２７スイッチ…、２８…電池、２９…スイッチ、３１…輝度設定部、３２…ＥＰＧ取得部。
【図１】
2005109828.tif 000003
【図２】
2005109828.tif 000004
【図３】
2005109828.tif 000005
【図４】
2005109828.tif 000006
【図５】
2005109828.tif 000007
【図６】
2005109828.tif 000008
【図７】
2005109828.tif 000009
【図８】
2005109828.tif 000010
【図９】
2005109828.tif 000011